(57)【要約】【課題】操作表示部から容易に制御基板を取り外すことができ、メンテナンス性に優れた洗濯機を提供する。【解決手段】筐体１と、筐体１上部に設けられ略中央に開口を有する上部枠体２２と、上部枠体２２の上部に設けられた操作表示部５１と、を備え、操作表示部５１は、操作パネル５８と、操作パネル５８の背面に取り付けられ操作ボタン等を有する樹脂構造部材５２と、樹脂構造部材５２の背面に取り付けられた操作基板５９と、操作基板５９を保護するよう操作基板５９を背面側から覆う舟状保護ケース６３と、を有し、操作基板５９と樹脂構造部材５２、及び、樹脂構造部材５２と操作パネル５８とは、ネジ締結されており、舟状保護ケース６３と樹脂構造部材５２とは係合固定されている洗濯機である。【選択図】図４
2018183403.tif 000002
【特許請求の範囲】
【請求項１】
筐体と、
前記筐体の上部に設けられた上部枠体と、
前記上部枠体に設けられた操作表示部と、を備え、
前記操作表示部は、操作部と表示部が配設された操作パネルと、前記操作パネルの背面に取り付けられ操作ボタン等が搭載された樹脂構造部材と、前記樹脂構造部材の背面に取り付けられた制御基板と、前記制御基板を保護するよう前記制御基板を背面側から覆う保護ケースと、を有し、
前記制御基板と前記樹脂構造部材、及び、前記樹脂構造部材と前記操作パネルとは、ネジ締結により固定されており、前記保護ケースと前記樹脂構造部材とは、ネジ締結又は係合固定されている洗濯機。
【請求項２】
前記操作表示部が組み立てられた状態において、前記制御基板には、前記操作ボタンに対応する位置に操作スイッチが設けられており、前記保護ケースには、前記制御基板の前記操作スイッチ付近に設けられ前記制御基板を支持するボスが形成されている請求項１に記載の洗濯機。
【発明の詳細な説明】
【技術分野】
【０００１】
本発明は、洗濯機の操作表示部の構成に関するものである。
【背景技術】
【０００２】
特許文献１は、運転内容を設定できる操作表示部を有する洗濯機を開示する。この洗濯機は、筐体と、筐体の上部に取り付けられ略中央に衣類投入用の開口部を有する上部枠体と、上部枠体に設けられ開口部を開閉可能に覆う蓋体と、上部枠体に設けられる操作表示部と、から構成される。
【０００３】
図９は、特許文献１に示す洗濯機の操作表示部の分解斜視図である。
【０００４】
操作表示部は、操作パネル１２９と、操作パネル１２９の表面に貼り着けられた操作部カバー１３１と、操作パネル１２９の背面に取り付けられ、操作ボタンなどが搭載された樹脂構造部材１１２と、樹脂構造部材１１２の背面に取り付けられた制御基板１０９と、制御基板１０９を覆う制御基板収納部１１０と、から構成される。
【０００５】
操作パネル１２９と制御基板収納部１１０、及び、制御基板収納部１１０と制御基板１０９は、それぞれネジ締結により固定されている。制御基板収納部１１０と樹脂構造部材１１２とは、ねじ締結及び爪係合により固定されている。制御基板収納部１１０と操作パネル１２９とをネジ締結することにより、操作ボタンの操作性を安定させることができる。
【先行技術文献】
【特許文献】
【０００６】
【特許文献１】特開２０１１−１４３０８３号公報
【発明の概要】
【発明が解決しようとする課題】
【０００７】
しかしながら、前記従来の構成では、制御基盤が故障して、操作表示部から制御基盤を取り外す必要が生じた際、操作パネルと制御基板収納部とを固定しているネジを取り外した後、制御基板収納部と樹脂構造部材とのネジ締結及び爪係合を外し、制御基板収納部と制御基板とを固定しているネジを外すという３つの工程が必要となり、メンテナンス作業に手間と時間を要するという課題を有していた。
【０００８】
本発明は、前記従来の課題を解決するもので、容易に制御基板を取り外すことができるメンテナンス性に優れた洗濯機を提供することを目的とする。
【課題を解決するための手段】
【０００９】
前記従来の課題を解決するために、本発明の洗濯機は、筐体と、前記筐体の上部に設けられた上部枠体と、前記上部枠体に設けられた操作表示部と、を備え、前記操作表示部は、操作部と表示部が配設された操作パネルと、前記操作パネルの背面に取り付けられ操作ボタン等が搭載された樹脂構造部材と、前記樹脂構造部材の背面に取り付けられた制御基板と、前記制御基板を保護するよう前記制御基板を背面側から覆う保護ケースと、を有し、前記制御基板と前記樹脂構造部材、及び、前記樹脂構造部材と前記操作パネルとは、ネジ締結により固定されており、前記保護ケースと前記樹脂構造部材とはネジ締結又は係合固定されている構成としたものである。
【００１０】
これにより、保護ケースと操作基板との係合を外した後、操作基板と樹脂構造部材とを固定しているネジ締結を外すという、２つの工程で操作表示部から制御基板を取り外すことができるので、操作基板の交換に要するメンテナンス時間を削減できる。また、保護ケースは、ネジ締結されていないため、樹脂構造部材との係合を外すだけで操作表示部から取り外すことができるので、操作表示部の分解作業に要するメンテナンス時間を削減できる。
【発明の効果】
【００１１】
本発明の洗濯機は、操作表示部から容易に制御基板を取り外すことができるので、メンテナンス性を向上させることができる。
【図面の簡単な説明】
【００１２】
【図１】本発明の実施の形態１における洗濯機の斜視図
【図２】本発明の実施の形態１における洗濯機の縦断面図
【図３】本発明の実施の形態１における洗濯機の操作表示部の正面図
【図４】本発明の実施の形態１における洗濯機の操作表示部の分解斜視図
【図５】本発明の実施の形態１における洗濯機の操作表示部の背面斜視図
【図６】本発明の実施の形態１における洗濯機の操作表示部の舟状保護ケースを取り除いた状態での背面斜視図
【図７】本発明の実施の形態１における洗濯機の舟状保護ケースの正面図
【図８】本発明の実施の形態１における洗濯機の操作表示部の断面図
【図９】従来の洗濯機の操作表示部の分解斜視図
【発明を実施するための形態】
【００１３】
第１の発明は、筐体と、前記筐体の上部に設けられた上部枠体と、前記上部枠体に設けられた操作表示部と、を備え、前記操作表示部は、操作部と表示部が配設された操作パネルと、前記操作パネルの背面に取り付けられ操作ボタン等が搭載された樹脂構造部材と、前記樹脂構造部材の背面に取り付けられた制御基板と、前記制御基板を保護するよう前記制御基板を背面側から覆う保護ケースと、を有し、前記制御基板と前記樹脂構造部材、及び、前記樹脂構造部材と前記操作パネルとは、ネジ締結により固定されており、前記保護ケースと前記樹脂構造部材とはネジ締結又は係合固定されている洗濯機としたものである。
【００１４】
これにより、保護ケースと操作基板との係合を外した後、操作基板と樹脂構造部材とを固定しているネジ締結を外すという２つの工程により操作表示部から制御基板を取り外すことができるので、操作基板の交換に要するメンテナンス時間を削減できる。また、保護ケースは、ネジ締結されていないため、樹脂構造部材との係合を外すだけで操作表示部から取り外すことができるので、操作表示部の分解作業に要するメンテナンス時間を削減できる。
【００１５】
第２の発明は、特に、第１の発明の洗濯機に関し、前記操作表示部が組み立てられた状態において、前記制御基板には、前記操作ボタンに対応する位置に操作スイッチが設けられており、前記保護ケースには、前記制御基板の前記操作スイッチ付近に設けられ前記制御基板を支持するボスが形成されている構成としたものである。
【００１６】
これにより、操作パネルの操作部を指で押圧することにより、操作基板に反りや撓みが生じた場合でも、保護ケースに形成されたボスが制御基板の底面を支持することで、操作スイッチの位置が、操作ボタンから背面方向に逃げることを防止できるため、操作ボタンの操作性を安定させることができる。
【００１７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、添付図面および以下の説明は、当業者が本開示を十分理解するために、提供されるのであって、これらにより、特許請求の範囲に記載の主題を限定することは意図されていない。
【００１９】
（実施の形態１）
以下、図１〜図８を用いて、実施の形態１を説明する。
【００２０】
［１−１．構成］
［１−１−１．洗濯機の全体構成］
図１は、本発明の実施の形態１における洗濯機の斜視図、図２は、本発明の実施の形態１における洗濯機の縦断面図である。
【００２１】
洗濯機本体は、筐体１と、筐体１の上部に取り付けられ略中央に衣類投入用の開口部（図示せず）を有する上部枠体２２と、上部枠体２２に取り付けられ開口部を開閉可能に覆う外蓋１７と、上部枠体２２の後方上部に設けられ運転の設定内容等を表示する操作表示部５１と、から構成される。
【００２２】
筐体１には、有底円筒形の外槽３が、サスペンション２により弾性的に吊支されている。外槽３内には、有底円筒形の内槽４が、回転可能に支持されている。内槽４の周面には、複数の脱水孔５が形成されている。内槽４の上部には、環状の流体バランサ６が取り付けられている。内槽４の内底部には、パルセータ７が回転可能に設けられている。パルセータ７の上部には、衣類を撹拌する撹拌用突出部１９が設けられている。
【００２３】
外槽３の内底部には、排水口２３が形成されている。排水口２３は、排水ダクト１２の一端と連結している。排水ダクト１２の他端は、排水ホース２０の一端と連結しており、排水ホース２０の他端は、筐体１の外部に位置している。排水ダクト１２には、排水弁１３が配設されている。排水弁１３を開放すると、外槽３内の洗濯水が、排水口２３、排水ダクト１２、排水ホース２０を経由して筐体１の外へ排水される。
【００２４】
外槽３の外底部には、モータ１０が固定されている。モータ１０は、洗濯兼脱水軸８及び減速機構９を介して、パルセータ７と連結している。モータ１０の駆動力は、洗濯兼脱水軸８を介してパルセータ７に伝達される。
【００２５】
上部枠体２２は、ポリプロピレン樹脂（ＰＰ材料）の成型品にて構成されている。上部枠体２２には、給水ホース（図示せず）と連結される給水弁１４が設けられている。上部枠体２２には、給水経路（図示せず）を介して給水弁１４と連通する洗剤収容容器１５が設けられている。給水弁１４を開けることにより、給水ホースから供給された水道水は、給水経路及び洗剤収容容器１５を経由して外槽３及び内槽４内へ供給される。
【００２６】
操作表示部５１は、洗濯機後方に位置しており、上部枠体２２に設けられている。操作表示部５１の構成については後述する。
【００２７】
筐体１には、給水弁１４、モータ１０、排水弁１３を制御して、洗い、すすぎ、脱水を逐次制御できるコントローラ（図示せず）が設けられている。コントローラには、内槽４内の洗濯物量を検知する洗濯物量検知手段（図示せず）や、内槽４内の水位を検知する水位検知手段（図示せず）が設けられている。
【００２８】
［１−１−２．操作表示部５１の構成］
図３は、本発明の実施の形態１における洗濯機の操作表示部の正面図、図４は、本発明の実施の形態１における洗濯機の操作表示部の分解斜視図、図５は、本発明の実施の形態１における洗濯機の操作表示部の背面斜視図、図６は、本発明の実施の形態１における洗濯機の操作表示部の舟状保護ケースを取り外した状態での背面斜視図、図７は、本発明の実施の形態１における洗濯機の舟状保護ケースの正面図、図８は、本発明の実施の形態１における洗濯機の操作表示部の断面図である。
【００２９】
操作表示部５１は、操作パネル５８と、操作パネル５８の背面に取り付けられる樹脂構造部材５２と、樹脂構造部材５２の背面に取り付けられる操作基板５９と、操作基板５９を保護する舟状保護ケース６３と、から構成される。
【００３０】
（操作パネル５８）
操作パネル５８は、ポリプロピレン樹脂（ＰＰ材料）やＡＢＳ樹脂の成型品にて構成されていることが一般的である。
【００３１】
操作パネル５８の上面部には、透明ＰＥＴシート材に操作表示内容を印刷した操作表示部カバー（図示せず）が剥離防止や防水のために両面テープにて貼着されている。操作表示部カバーには、使用者が指で操作する操作部６１と、運転完了までの残時間などを表示する表示部６２が設けられている。操作部６１は、給水水位や、洗い時間、すすぎ回数などを設定する設定ボタン６１ａと、電源ボタン６１ｂ、スタートボタン６１ｃと、から構成される。
【００３２】
操作パネル５８には、操作部６１や表示部６２の位置に対応して開口部が形成されている。
【００３３】
（樹脂構造部材５２）
樹脂構造部材５２は、操作パネル５８の背面に配設されており、樹脂構造部材５２と操作パネル５８とは、樹脂構造部材取り付けビス５３により締結されている。図８に示すように、樹脂構造部材５２には、操作パネル５８の各操作部６１に対応した位置に、操作ボタン５７が形成されている。使用者が、操作表示部カバーの操作部６１を下方へ押圧すると、操作部６１に対応する操作ボタン５７も押下されて下方へ移動する。
【００３４】
樹脂構造部材５２には、操作パネル５８の表示部６２に対応する位置に導光経路（図示せず）が複数形成されている。樹脂構造部材５２には、舟状保護ケース６３と係合するための係合孔５２ａが形成されている。
【００３５】
（操作基板５９）
操作基板５９は、樹脂構造部材５２の背面に配設されおり、操作基板５９と樹脂構造部材５２とは、操作基板取り付けビス６５により締結されている。操作基板５９の表裏両面には、防湿材のウレタン樹脂等にてなるポッティング材（図示せず）等が被覆されている。図８に示すように、操作表示部５１が組み立てられた状態において、操作基板５９には、操作ボタン５７に対応した位置に、操作スイッチ６０が設けられている。使用者が操作表示部カバーの操作部６１を指で押下すると、操作部６１に対応する操作ボタン５７が下方へ移動し、対応する操作スイッチ６０が押下される。これにより、使用者は、操作パネル５８で所望の運転動作を設定できる。
【００３６】
また、操作基板５９には、樹脂構造部材５２の導光経路に対応する位置に、ＬＥＤが配
設されている。ＬＥＤが発光すると、ＬＥＤの光は、導光経路を通り、操作表示部カバーの表示部に表示される。これにより、操作パネル５８は、所望の表示をすることができる。
【００３７】
（舟状保護ケース６３）
舟状保護ケース６３は、操作基板５９を保護するため操作基板５９を背面側から覆っている。舟状保護ケース６３には、爪６３ａが形成されている。爪６３ａと係合孔５２ａにより、舟状保護ケース６３と樹脂構造部材５２とは、係合固定される。
【００３８】
図７、図８に示すように、操作表示部５１が組み立てられた状態において、舟状保護ケース６３には、操作スイッチ６０に対応する位置に操作スイッチ部受けボス５４が形成されている。操作スイッチ部受けボス５４が、操作スイッチ６０の底面を支持することにより、操作基板５９に反りや撓みが生じても、操作スイッチ６０が操作ボタン５７の位置からずれることを防止できる。これにより、操作ボタン５７の操作性を安定させることができる。
【００３９】
［２−１．操作基板５９の交換］
以下、操作基板５９の交換方法について説明する。
【００４０】
上部枠体２２から操作表示部５１を取り外した後、下記工程を行うことで、操作表示部５１から操作基板５９を取り外すことができる。
【００４１】
・舟状保護ケース６３と樹脂構造部材５２との爪係合を外し、操作表示部５１から舟状保護ケース６３を分離する。
・樹脂構造部材５２と操作基板５９とを固定している操作基板取り付けビス６５を外す。
【００４２】
上記工程により、操作表示部５１から操作基板５９を分離できる。その後、樹脂構造部材５２と交換後の操作基板５９とを操作基板取り付けビス６５で締結し、樹脂構造部材５２と舟状保護ケース６３とを係合する。以上により、操作基板５９が交換できる。
【００４３】
また、本実施の形態では、舟状保護ケース６３は、ネジ締結で固定されておらず、爪係合のみで固定されている。このため、舟状保護ケース６３は、係合を外すだけで操作表示部５１から取り外すことができるので、操作基板５９の交換に要するメンテナンス時間を削減できる。
【００４４】
本実施の形態では、縦型洗濯機の操作表示部で説明したが、本発明はこれに限定されるものでなく、例えば、ドラム式洗濯機の操作表示部であっても同様の作用・効果を得ることができる。
【００４５】
本実施の形態では、操作表示部は、洗濯機の後方上部に設けられているが、本発明はこれに限定されるものでなく、操作表示部が洗濯機の前方上部に設けられていてもよい。
【００４６】
なお、本実施の形態では、舟状保護ケース６３と樹脂構造部材５２とは、ネジ締結により固定されているが、本発明はこれに限られず、舟状保護ケース６３と樹脂構造部材５２とが爪係合により固定されていてもよい。
【産業上の利用可能性】
【００４７】
以上のように、本発明にかかる洗濯機は、操作表示部から制御基板を容易に取り外すこ
とが可能となるので、乾燥機や業務用洗濯機等の用途にも適用できる。
【符号の説明】
【００４８】
１  筐体
２  サスペンション
３  外槽
４  内槽
５  脱水孔
６  流体バランサ
７  パルセータ
８  洗濯兼脱水軸
９  減速機構
１０  モータ
１２  排水ダクト
１３  排水弁
１４  給水弁
１５  洗剤収容容器
１７  外蓋
１９  撹拌用突出部
２０  排水ホース
２２  上部枠体
５１  操作表示部
５２  樹脂構造部材
５２ａ  係合孔
５３  樹脂構造部材取り付けビス
５４  操作スイッチ部受けボス
５７  操作ボタン
５８  操作パネル
５９  操作基板
６０  操作スイッチ
６１  操作部
６１ａ  設定ボタン
６１ｂ  電源ボタン
６１ｃ  スタートボタン
６２  表示部
６３  舟状保護ケース
６３ａ  爪
６５  操作基板取り付けビス
【図１】
2018183403.tif 000003
【図２】
2018183403.tif 000004
【図３】
2018183403.tif 000005
【図４】
2018183403.tif 000006
【図５】
2018183403.tif 000007
【図６】
2018183403.tif 000008
【図７】
2018183403.tif 000009
【図８】
2018183403.tif 000010
【図９】
2018183403.tif 000011